(57)【要約】【課題】持ち易い電子機器を提供する。【解決手段】一つの実施の形態に係る電子機器は、画像を表示する第１のユニットと、画像を表示する第２のユニットと、前記第１のユニットと前記第２のユニットとを互いに回動可能に連結するヒンジ部と、前記ヒンジ部に設けられた突出部と、を具備する。前記突出部は、前記第１のユニットと前記第２のユニットとが重ねられたときに前記第１のユニットおよび前記第２のユニットの反対方向に突出する。【選択図】    図２
2015038653.tif 000002
【特許請求の範囲】
【請求項１】
画像を表示する第１のユニットと、
画像を表示する第２のユニットと、
前記第１のユニットと前記第２のユニットとを互いに回動可能に連結するヒンジ部と、
前記ヒンジ部に設けられ、前記第１のユニットと前記第２のユニットとが重ねられたときに前記第１のユニットおよび前記第２のユニットとは異なる方向に突出する突出部と、
を具備した電子機器。
【請求項２】
前記突出部は、前記第１のユニットよりも厚く、前記第２のユニットよりも厚い請求項１に記載の電子機器。
【請求項３】
前記突出部がバッテリーを有する請求項１に記載の電子機器。
【請求項４】
前記突出部が電池を取り出し可能に収容する請求項１に記載の電子機器。
【請求項５】
前記突出部がアンテナを有する請求項１に記載の電子機器。
【請求項６】
前記突出部が、非接触で外部から送電されるワイヤレス給電部を有する請求項１に記載の電子機器。
【請求項７】
前記突出部がインターフェースを有する請求項１に記載の電子機器。
【請求項８】
前記突出部が、前記第１のユニットおよび前記第２のユニットを傾いた状態に支持する支持部を有した請求項１に記載の電子機器。
【請求項９】
前記突出部が滑り止めを有する請求項１に記載の電子機器。
【請求項１０】
前記突出部の近傍において、前記第１のユニットの外面に操作部が設けられた請求項１に記載の電子機器。
【発明の詳細な説明】
【技術分野】
【０００１】
本発明の実施形態は、電子機器に関する。
【背景技術】
【０００２】
例えば電子書籍の閲覧に用いられる電子機器は、本のように開閉される構造を備えるものがある。このような電子機器は、ヒンジによって連結された一対のユニットを備えている。この一対のユニットは、それぞれ文書、イメージ、ウェブページ、およびその他の情報を表示し、本のように開かれた状態で閲覧される。
【先行技術文献】
【特許文献】
【０００３】
【特許文献１】特開２００４−２２８９０４号公報
【発明の概要】
【発明が解決しようとする課題】
【０００４】
例えば電車で電子書籍を閲覧する場合、ユーザは長時間に亘って電子機器を手に持ったままになることがある。このため、電子機器が持ち難い場合、ユーザが疲労したり、電子機器を落としたりするおそれがある。
【０００５】
本発明の目的は、持ち易い電子機器を提供することである。
【課題を解決するための手段】
【０００６】
一つの実施の形態に係る電子機器は、  
画像を表示する第１のユニットと、画像を表示する第２のユニットと、前記第１のユニットと前記第２のユニットとを互いに回動可能に連結するヒンジ部と、前記ヒンジ部に設けられた突出部と、を具備する。前記突出部は、前記第１のユニットと前記第２のユニットとが重ねられたときに前記第１のユニットおよび前記第２のユニットの反対方向に突出する。
【図面の簡単な説明】
【０００７】
【図１】第１の実施の形態に係る電子機器を示す斜視図。
【図２】第１の実施形態の電子機器を背面から示す斜視図。
【図３】第１の実施形態の電子機器の使用態様の一例を示す斜視図。
【図４】第２の実施の形態に係る電子機器を示す斜視図。
【図５】第３の実施の形態に係る電子機器を示す平面図。
【図６】第４の実施の形態に係る電子機器を示す平面図。
【図７】第５の実施の形態に係る電子機器を示す斜視図。
【発明を実施するための形態】
【０００８】
以下に、第１の実施の形態について、図１から図３を参照して説明する。図１は、第１の実施形態の電子機器１を示す斜視図である。なお、本明細書において、図１のように電子機器１を立てた状態における上方向を上、同状態における下方向を下と便宜上定義する。この電子機器１は、例えばポータブルコンピュータおよび電子書籍のリーダーとして利用される。
【０００９】
図１に示すように、電子機器１は、第１のユニット３と、第２のユニット４と、一対のヒンジ部５と、突出部６とを備えている。第１のユニット３と第２のユニット４とは、一対のヒンジ部５によって互いに回動可能に連結されている。第１のユニット３と第２のユニット４は、互いに重ねられた閉じ位置と、１８０°開かれた開き位置との間で、自在に開閉される。
【００１０】
第１のユニット３は、偏平な箱状の第１の筐体１１と、第１のディスプレイモジュール１２と、図示しないプリント回路板のような種々の電子部品とを備えている。第１のディスプレイモジュール１２は、例えば液晶ディスプレイであり、第１の筐体１１に収容されている。なお、第１のディスプレイモジュール１２はこれに限らず、例えば有機ＥＬディスプレイのような他のディスプレイモジュールであっても良い。
【００１１】
第１の筐体１１の前面に開口部１１ａが設けられている。開口部１１ａは、第１のディスプレイモジュール１２の表示部１２ａを第１のユニット３の外に露出させる。表示部１２ａは、例えば前記プリント回路板に実装されたＭＰＵの制御に従って画像を表示する。なお、本明細書において画像とは、例えば文字、記号、数字、文書、イメージ、動画、およびウェブページのような、画面に映る種々の情報を含むものと定義され、イラストや写真のようなイメージに限らない。
【００１２】
第１のディスプレイモジュール１２の表示部１２ａは、透光性の樹脂製やガラス製のパネルによって保護されている。さらに、第１のディスプレイモジュール１２にはタッチパネルが取り付けられている。このタッチパネルは、表示部１２ａ上の指の動きを検知するポインティングデバイスである。
【００１３】
第２のユニット４は、偏平な箱状の第２の筐体１５と、第２のディスプレイモジュール１６と、図示しない種々の電子部品とを備えている。第２のディスプレイモジュール１６は、例えば液晶ディスプレイであり、第２の筐体１５に収容されている。なお、第２のディスプレイモジュール１６はこれに限らず、例えば有機ＥＬディスプレイのような他のディスプレイモジュールであっても良い。第２のユニット４の重さは、第１のユニット３の重さとほぼ同じである。
【００１４】
第２の筐体１５の前面に開口部１５ａが設けられている。開口部１５ａは、第２のディスプレイモジュール１６の表示部１６ａを第２のユニット４の外に露出させる。表示部１６ａは、例えば前記ＭＰＵの制御に従って画像を表示する。
【００１５】
第２のディスプレイモジュール１６の表示部１６ａは、透光性の樹脂製やガラス製パネルによって保護されている。さらに、第２のディスプレイモジュール１６にはタッチパネルが取り付けられている。このタッチパネルは、表示部１６ａ上の指の動きを検知するポインティングデバイスである。
【００１６】
一方のヒンジ部５は、第１のユニット３の内側の端部３ａの上端から、第２のユニット４の内側の端部４ａの上端に亘って設けられる。他方のヒンジ部５は、第１のユニット３の端部３ａの下端から、第２のユニット４の端部４ａの下端に亘って設けられる。
【００１７】
一対のヒンジ部５は、第１の軸部２１と、第２の軸部２２とをそれぞれ有している。なお、図１において第１の軸部２１および第２の軸部２２は隠れているため、第１の軸部２１の回転軸と第２の軸部２２の回転軸とをそれぞれ概略的に一点鎖線で示す。
【００１８】
第１の軸部２１は、第１のユニット３の端部３ａを回動可能に支持している。第２の軸部２２は、第２のユニット４の端部４ａを回動可能に支持している。第１の軸部２１と第２の軸部２２とは、平行に並んで配置されている。
【００１９】
第１のユニット３と第２のユニット４とは、互いに噛み合うギアをそれぞれ有している。このギアによって、第１のユニット３と第２のユニット４とは、互いに同じ角度だけ回動する。
【００２０】
図２は、電子機器１を背面から見た斜視図である。図２に示すように、ヒンジ部５に、突出部６が設けられている。突出部６は、第１のユニット３と第２のユニット４とが重ねられた閉じ位置にあるとき、第１のユニット３および第２のユニット４の反対方向に突出する。また、図２に示すように、突出部６は、第１のユニット３と第２のユニット４とが１８０°開かれた開き位置にあるとき、第１のユニット３および第２のユニット４と直行する方向に突出する。突出部６は、第１のユニット３と第２のユニット４とが開き位置にあった場合でも把持し易い長さだけ突出している。
【００２１】
突出部６は、本体３１と、バッテリー３２と、電源コネクタ３３と、複数のＵＳＢコネクタ３４と、イヤホンコネクタ３５と、音量調整ダイヤル３６とを有している。電源コネクタ３３、複数のＵＳＢコネクタ３４、イヤホンコネクタ３５、および音量調整ダイヤル３６は、インターフェースの一例である。
【００２２】
本体３１は、一方のヒンジ部５から他方のヒンジ部５に亘って設けられている。本体３１は、頂部４１と、一対の側部４２と、一対の端部４３とを有している。なお、図２には一方の側部４２および一方の端部４３のみを示す。
【００２３】
頂部４１は、突出する本体３１の先端部分であり、円弧状に形成されている。一対の側部４２は、閉じ位置において第１のユニット３の外面３ｂおよび第２のユニット４の外面４ｂと、それぞれ一つの平面を形成する。一対の端部４３は、本体３１の上端部分および下端部分である。
【００２４】
本体３１の厚みは、互いに重ねられた第１のユニット３および第２のユニット４の厚みとほぼ等しく、人が把持し易い厚みに形成されている。言い換えると、本体３１は、第１のユニット３よりも厚く、第２のユニット４よりも厚い。本体３１に嵌合部４５が設けられている。嵌合部４５は、本体３１の頂部４１から凹んで形成されている。
【００２５】
バッテリー３２は、例えば複数の円筒形のリチウムイオン電池を用いたバッテリーパックである。円筒形のリチウムイオン電池は、板状のリチウムイオン電池よりも効率が良く、体積あたりの容量が大きい。なお、バッテリー３２はこれに限らず、ニッケル水素電池のような他のバッテリーでも良い。バッテリー３２は、嵌合部４５に取り外し可能に嵌合され、電子機器１に電力を供給する。
【００２６】
電源コネクタ３３は、本体３１の一方の側面４２に設けられ、ＡＣアダプターの端子が接続される。複数のＵＳＢコネクタ３４は、本体３１の一方の端部４３に並んで設けられている。イヤホンコネクタ３５は、本体３１の頂部４１に設けられ、イヤホンジャックが接続される。音量調整ダイヤル３６は、本体３１の頂部４１に設けられ、電子機器１の音量調節に用いられる。
【００２７】
図３は、電子機器１の使用態様の一例を示す斜視図である。図３に示すように、電子機器１は、ノート型のポータブルコンピュータのように使用できる。例えば第１のディスプレイモジュール１２の表示部１２ａにソフトキーボードを表示することで、キーボード入力が行なわれる。
【００２８】
図３のように電子機器１が机のような載置面Ｇに置かれた場合、突出部６によって、第１のユニット３の端部３ａが載置面Ｇから浮き、第１のユニット３と載置面Ｇとの間に隙間ができる。これにより、ソフトキーボードが表示された第１のディスプレイモジュール１２の表示部１２ａが傾く。言い換えると、突出部６は、キーボードのチルトスタンドのように機能する。
【００２９】
前記構成の電子機器１によれば、ヒンジ部５に突出部６が設けられている。これにより、ユーザは電子機器１を使用する場合、突出部６を把持することができる。これにより、電子機器１は持ち易くなり、ユーザが電子機器１を落とすことを抑制できる。
【００３０】
第１のユニット３と第２のユニット４とが開き位置にある場合、突出部６は第１のユニット３と第２のユニット４との中央に位置する。このため、ユーザは、突出部６を把持することで電子機器１をバランス良く持つことができる。これにより、電子機器１を持つことによる疲労を軽減することができる。
【００３１】
突出部６は、第１のユニット３よりも厚く、第２のユニット４よりも厚い。これにより、突出部６の設計の自由度が向上する。言い換えると、突出部６は、種々の要素を備えることができるスペースが大きい。例えば、突出部６は、円筒型のリチウムイオン電池のような体積の大きい部品や、電源コネクタ３３のような種々のインターフェースを備えることができる。
【００３２】
バッテリー３２が円筒型のリチウムイオン電池を用いることにより、電子機器１を長時間使用することができる。また、突出部６に種々のインターフェースを設けることができるため、電子機器１の使い勝手や機能が向上する。さらに、第１のユニット３や第２のユニット４にインターフェースを設けるための出っ張りを設ける必要がなく、電子機器１のデザイン性が向上する。
【００３３】
電子機器１をノート型のポータブルコンピュータのように使用した場合、突出部６によって第１のディスプレイモジュール１２の表示部１２ａが傾く。これにより、第１のディスプレイモジュール１２の表示部１２ａにソフトキーボードを表示する場合、キーボード入力がし易くなる。さらに、突出部６によって、第１のユニット３と載置面Ｇとの間に隙間ができる。これにより、第１のユニット３の外面３ｂに冷却のための通気口やスピーカー用の孔が設けられた場合、これらの孔が塞がれることを防止できる。
【００３４】
次に、図４を参照して、第２の実施の形態について説明する。なお、以下に開示する複数の実施形態において、第１の実施形態の電子機器１と同一の機能を有する構成部分には同一の参照符号を付してその説明を省略する。
【００３５】
図４は、第２の実施の形態の電子機器１を背面から示す斜視図である。図４において、第１のユニット３と第２のユニット４とは開き位置にある。図４に示すように、突出部６は、蓋部５１と、複数の単三電池５２と、一対のクリックボタン５３と、第１のジョグダイヤル５４と、第２のジョグダイヤル５５と、一対の滑り止め５６とを有している。単三電池５２は、電池の一例である。なお、電池はこれに限らず、単四電池のような他の電池であっても良い。一対のクリックボタン５３、第１のジョグダイヤル５４、および第２のジョグダイヤル５５は、インターフェースの一例である。
【００３６】
蓋部５１は、本体３１に開閉自在に取り付けられ、本体３１の一方の端部４３を形成する。複数の単三電池５２は、それぞれ本体３１に収容される。蓋部５１が開くことで、本体３１に複数の単三電池５２を挿入し、そして取り出すことができる。電子機器１は、複数の単三電池５２によって電力を供給される。
【００３７】
一対のクリックボタン５３、第１のジョグダイヤル５４、および第２のジョグダイヤル５５は、本体３１の頂部４１にそれぞれ設けられている。クリックボタン５３は、クリック操作に利用される。第１のジョグダイヤル５４は、例えば電子書籍のページめくりに利用される。第２のジョグダイヤル５５は、例えば画面の輝度調節に利用される。または第１のジョグダイヤル５４および第２のジョグダイヤル５５により左右上下へ動かすことでポインティングデバイスの機能や、押下することでクリックボタンとしての機能を割り当て、ジョグダイヤル５４が左クリック、ジョグダイヤル５５が右クリックとして利用することもできる。
【００３８】
一対の滑り止め５６は、本体３１の中央部分において、一対の側部４２にそれぞれ設けられる。滑り止め５６は、例えば合成ゴムによって形成され、ユーザが突出部６を把持したときに滑り止めとして利用される。
【００３９】
突出部６の近傍において、第１のユニット３の外面３ｂに、タッチパッド５７が設けられている。タッチパッド５７は、操作部の一例であり、ポインティングデバイスとして利用される。ユーザは、タッチパッド５７の反対側に位置する第１のディスプレイモジュール１２の表示部１２ａを見ながら、タッチパッド５７を操作する。このため、タッチパッド５７の入力は、左右が逆方向に設定される。
【００４０】
クリックボタン５３、第１のジョグダイヤル５４、第２のジョグダイヤル５５、およびタッチパッド５７は、ユーザが滑り止め５６が設けられた部分を把持した際に、ユーザの指が届き易い場所に配置される。
【００４１】
前記構成の電子機器１によれば、突出部６は、単三電池５２を取り出し可能に収容している。電子機器１は、この単三電池５２によって電力を供給される。このように、電子機器１は容易に入手可能な電池を使用できるため、いつでも電池の交換が可能になる。
【００４２】
本体３１の側部４２に、滑り止め５６が設けられている。これにより、電子機器１はさらに持ち易くなり、ユーザが電子機器１を落とすことを抑制できる。
【００４３】
さらに、滑り止め５６が設けられることにより、ユーザは滑り止め５６が設けられた位置を把持するよう誘導される。クリックボタン５３のようなインターフェースは、ユーザが滑り止め５６が設けられた部分を把持した際に、ユーザの指が届き易い場所に配置される。これにより、インターフェースの操作性が向上する。
【００４４】
次に、図５を参照して、第３の実施の形態について説明する。図５は、第３の実施形態の電子機器１を示す平面図である。図５において、第１のユニット３と第２のユニット４とは、閉じ位置にある。
【００４５】
図５に破線で模式的に示すように、突出部６は、放送用アンテナ６１と、ＧＰＳアンテナ６２と、無線ＬＡＮアンテナ６３とを有している。放送用アンテナ６１、ＧＰＳアンテナ６２、および無線ＬＡＮアンテナ６３は、アンテナの一例であり、本体３１に収容されている。なお、アンテナはこれに限らず、他の種類のアンテナであっても良い。
【００４６】
放送用アンテナ６１は、例えばＩＳＤＢ−Ｔ方式の放送と、ＩＳＤＢ−Ｔｍｍ方式の放送とを受信する。ＧＰＳアンテナ６２は、放送用アンテナ６１よりも短く形成され、ＧＰＳの電波を受信する。無線ＬＡＮアンテナ６３は、ＧＰＳアンテナ６２よりも短く形成され、無線ＬＡＮの電波を受信する。
【００４７】
前記構成の電子機器１によれば、突出部６は、第１のユニット３よりも厚く、第２のユニット４よりも厚い。このため、突出部６は、設計の自由度が高く、部品の実装密度を低くすることができる。このような突出部６に、放送用アンテナ６１、ＧＰＳアンテナ６２、および無線ＬＡＮアンテナ６３を設けることにより、各アンテナを他の部品から離間させ、各アンテナの感度を良好にすることができる。
【００４８】
受信する電波の周波数が低い放送用アンテナ６１は、長く形成される。突出部６は、設計の自由度が高いため、長い放送用アンテナ６１を容易に収容することができる。さらに突出部６は、例えば放送用アンテナ６１としてヘリカルアンテナのような体積の大きいアンテナを利用したとしても、容易に収容することができる。
【００４９】
次に、図６を参照して、第４の実施の形態について説明する。図６は、第４の実施形態の電子機器１を示す平面図である。図６において、第１のユニット３と第２のユニット４とは、閉じ位置にある。
【００５０】
図６に破線で示すように、突出部６は、内蔵バッテリー６５と、ワイヤレス給電部６６と、アンテナ６７とを有している。内蔵バッテリー６５、ワイヤレス給電部６６、およびアンテナ６７は、本体３１に収容されている。
【００５１】
ワイヤレス給電部６６は、内蔵バッテリー６５とアンテナ６７とに接続されている。ワイヤレス給電部６６は、アンテナ６７が受信した電磁波を電流に変換し、電子機器１に電力を供給するとともに内蔵バッテリー６５に充電する。すなわち、ワイヤレス給電部６６は、非接触で外部から送電される。
【００５２】
前記構成の電子機器１は、ワイヤレス給電部６６およびアンテナ６７によってワイヤレス給電を受ける。このため、ＡＣアダプターの端子を電源コネクタ３３から外しても、電子機器１は給電を受けることができる。これにより、電子機器１は、自由な向きで使用し易くなる。例えば、電子機器１は、図１のように立てて使用したり、図３のように載置面Ｇに置いて使用したりし易くなる。
【００５３】
内蔵バッテリー６５とワイヤレス給電部６６とアンテナ６７とは、ともに本体３１に収容されている。これにより、効率良くワイヤレス給電部６６によって内蔵バッテリー６５を充電することができる。
【００５４】
次に、図７を参照して、第５の実施の形態について説明する。図７は、第５の実施形態の電子機器１を背面から示す斜視図である。図７に示すように、突出部６は、一対の支持部７１と、収容部７３とを有している。
【００５５】
一対の支持部７１は、それぞれヒンジのような連結部を介して回動可能に本体３１と連結されている。一対の支持部７１は、突出部６の中央部分にそれぞれ連結されている。収容部７３は、本体３１の頂部４１から凹んで形成されている。収容部７３は、本体３１の中央部分から下端まで設けられ、一対の支持部７１を収容する。
【００５６】
一対の支持部７１は、図７に示すように分離して開いた支持位置と、閉じて収容部７３に収容された収容位置との間で、自在に開閉される。一対の支持部７１は、開き位置において、第１のユニット３および第２のユニット４を上に向かって傾いた状態に支持する。一対の支持部７１の間の角度に応じて、第１のユニット３および第２のユニット４が上に向かって傾く角度は変わる。
【００５７】
前記構成の電子機器１によれば、一対の支持部７１が、第１のユニット３および第２のユニット４を上に向かって傾いた状態に支持する。これにより、電子機器１を立てて置く場合であっても、ユーザが第１のディスプレイモジュール１２の表示部１２ａおよび第２のディスプレイモジュール１６の表示部１６ａを見易くなる。
【００５８】
一対の支持部７１の間の角度を調整することにより、第１のユニット３および第２のユニット４が上に向かって傾く角度を調整できる。これにより、ユーザが第１のディスプレイモジュール１２の表示部１２ａおよび第２のディスプレイモジュール１６の表示部１６ａと正対することができる。
【００５９】
なお、インターフェースは上記複数の実施の形態で記載したものに限らない。インターフェースは、例えば、種々のボタン、タッチパッド、指紋認証センサ、オーディオインターフェース、ＨＤＭＩコネクタのような種々のコネクタ、およびその他のものであっても良い。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…電子機器，３…第１のユニット，４…第２のユニット，５…ヒンジ部，６…突出部，３２…バッテリー，３３…電源コネクタ，３４…ＵＳＢコネクタ，３５…イヤホンコネクタ，３６…音量調整ダイヤル，５２…単三電池，５３…クリックボタン，５４…第１のジョグダイヤル，５５…第２のジョグダイヤル，６１…放送用アンテナ，６２…ＧＰＳアンテナ，６３…無線ＬＡＮアンテナ，６６…ワイヤレス給電部，７１…支持部。
【図１】
2015038653.tif 000003
【図２】
2015038653.tif 000004
【図３】
2015038653.tif 000005
【図４】
2015038653.tif 000006
【図５】
2015038653.tif 000007
【図６】
2015038653.tif 000008
【図７】
2015038653.tif 000009
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
画像を表示する第１のユニットと、
画像を表示する第２のユニットと、
前記第１のユニットと前記第２のユニットとを互いに回動可能に連結するヒンジ部と、
滑り止めを有し、前記ヒンジ部に設けられ、前記第１のユニットと前記第２のユニットとが重ねられたときに前記第１のユニットおよび前記第２のユニットとは異なる方向に突出する突出部と、
前記滑り止めの近傍において前記突出部に設けられ、操作に利用されるインターフェースと、
を具備した電子機器。
【請求項２】
前記滑り止めの近傍において、前記第１および第２のユニットのうち少なくとも一方の外面に操作部が設けられた請求項１に記載の電子機器。
【請求項３】
前記インターフェースがボタンを有した請求項２に記載の電子機器。
【請求項４】
前記インターフェースがダイヤルを有した請求項２に記載の電子機器。
【請求項５】
前記滑り止めが前記突出部の中央部分に設けられた請求項３または４に記載の電子機器。
【手続補正２】
【補正対象書類名】明細書
【補正対象項目名】０００６
【補正方法】変更
【補正の内容】
【０００６】
一つの実施の形態に係る電子機器は、  
画像を表示する第１のユニットと、画像を表示する第２のユニットと、前記第１のユニットと前記第２のユニットとを互いに回動可能に連結するヒンジ部と、前記ヒンジ部に設けられた突出部と、インターフェースと、を具備する。前記突出部は、滑り止めを有し、前記第１のユニットと前記第２のユニットとが重ねられたときに前記第１のユニットおよび前記第２のユニットの反対方向に突出する。前記インターフェースは、前記滑り止めの近傍において前記突出部に設けられ、操作に利用される。
【手続補正３】
【補正対象書類名】明細書
【補正対象項目名】００６０
【補正方法】変更
【補正の内容】
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲の内容を付記する。
［１］画像を表示する第１のユニットと、
画像を表示する第２のユニットと、
前記第１のユニットと前記第２のユニットとを互いに回動可能に連結するヒンジ部と、
前記ヒンジ部に設けられ、前記第１のユニットと前記第２のユニットとが重ねられたときに前記第１のユニットおよび前記第２のユニットとは異なる方向に突出する突出部と、
を具備した電子機器。
［２］前記突出部は、前記第１のユニットよりも厚く、前記第２のユニットよりも厚い［１］に記載の電子機器。
［３］前記突出部がバッテリーを有する［１］に記載の電子機器。
［４］前記突出部が電池を取り出し可能に収容する［１］に記載の電子機器。
［５］前記突出部がアンテナを有する［１］に記載の電子機器。
［６］前記突出部が、非接触で外部から送電されるワイヤレス給電部を有する［１］に記載の電子機器。
［７］前記突出部がインターフェースを有する［１］に記載の電子機器。
［８］前記突出部が、前記第１のユニットおよび前記第２のユニットを傾いた状態に支持する支持部を有した［１］に記載の電子機器。
［９］前記突出部が滑り止めを有する［１］に記載の電子機器。
［１０］前記突出部の近傍において、前記第１のユニットの外面に操作部が設けられた［１］に記載の電子機器。